(57)【特許請求の範囲】
【請求項１】
一対のプラグ端子Ｑ，Ｑが差込まれる一対の孔部１，１を有する前壁２と、該前壁２に連設されてプラグＰを略包囲する上壁３・下壁４・左側壁５・右側壁６を有し、
上記孔部１が、プラグ端子Ｑが差込まれたときに、前方突出状に弾性変形してプラグ端子Ｑに密接するように、孔寸法を減少させる方向へ延伸した肉薄突片部７を有するとともに、該肉薄突片部７の厚さ寸法Ｔ1 を、 0.1mm≦Ｔ1 ≦ 0.8mmに設定し、
上記上壁３・下壁４の長さ寸法Ｌ1 を、プラグＰの本体と略等しく設定するとともに、該長さ寸法Ｌ1 よりも上記左側壁５・右側壁６の長さ寸法Ｌ2 を短く設定して、切欠き部８を形成し、かつ、上記左側壁５・右側壁６の厚さ寸法Ｔ2 を、上記上壁３・下壁４の厚さ寸法Ｔ3 よりも小さく設定し、
上記上壁３及び下壁４に、プラグＰとコンセントＣとの抜き差し時に指が滑るのを防止する滑り防止用凹弯曲面10を有する肉厚形成用突部11を備えたことを特徴とするプラグカバー。
【請求項２】
上記前壁２の周囲に、前方突出状に包囲弾性膜部９を形成した請求項１記載のプラグカバー。
【発明の詳細な説明】
【０００１】
【発明の属する技術分野】
本発明は、プラグカバーに関する。
【０００２】
【従来の技術】
従来、湿度の高い場所で、コンセントにプラグを差し込んで使用する場合、プラグ端子間にたまった塵や埃によるトラッキング防止のために、図10に示すように、プラグＰ0 にプラグカバー20を装着して、プラグＰ0 とプラグカバー20とを一体状として、コンセントに差込んでいる。
【０００３】
【発明が解決しようとする課題】
しかし、図10に示すように、従来のプラグカバー20は、前後方向の長さ寸法Ｌ0 が短く、装着時に、プラグＰ0 に対して（相対的に）後ろ方向に移動させるときに、指が滑り、装着が困難であった。また、プラグＰ0 から不意に従来のプラグカバー20が外れ易かった。そして、単一種類の形状のプラグに対してしか使用することができなかった。
【０００４】
そこで、本発明は、簡単に装着でき、トラッキングを防止することができるプラグカバーを提供することを目的とする。また、プラグから不意に離脱せず、かつ、複数種類の形状の（各種寸法の）プラグに対して使用することができるプラグカバーを提供することを他の目的とする。
【０００５】
【課題を解決するための手段】
上述の目的を達成するために、本発明に係るプラグカバーは、一対のプラグ端子が差込まれる一対の孔部を有する前壁と、該前壁に連設されてプラグを略包囲する上壁・下壁・左側壁・右側壁を有し、上記孔部が、プラグ端子が差込まれたときに、前方突出状に弾性変形してプラグ端子に密接するように、孔寸法を減少させる方向へ延伸した肉薄突片部を有するとともに、該肉薄突片部の厚さ寸法Ｔ1 を、 0.1mm≦Ｔ1 ≦ 0.8mmに設定し、上記上壁・下壁の長さ寸法を、プラグの本体と略等しく設定するとともに、該長さ寸法よりも上記左側壁・右側壁の長さ寸法を短く設定して、切欠き部を形成し、かつ、上記左側壁・右側壁の厚さ寸法を、上記上壁・下壁の厚さ寸法よりも小さく設定し、上記上壁及び下壁に、プラグとコンセントとの抜き差し時に指が滑るのを防止する滑り防止用凹弯曲面を有する肉厚形成用突部を備えたものである。また、上記前壁の周囲に、前方突出状に包囲弾性膜部を形成したものである。
【０００６】
【発明の実施の形態】
以下、実施の形態を示す図面に基づき、本発明を詳説する。
【０００７】
図１は、本発明に係るプラグカバーの使用状態を示す。すなわち、このプラグカバーは、シリコンゴムから成り、プラグＰに装着される。そして、プラグカバーを装着されたプラグＰのプラグ端子Ｑ，ＱをコンセントＣに差込むことにより、塵や埃、水分の侵入によるトラッキングを防止することができる。プラグカバーは、シリコンゴムから成るため、プラグＰをコンセントＣに抜き差しするときに、指が滑らず、容易・確実にプラグＰの抜き差しを行なうことができる。
【０００８】
図２〜図５に於て、プラグカバーは、一対のプラグ端子Ｑ，Ｑ（図１参照）が差込まれる一対の孔部１，１を有する前壁２を有するとともに、前壁２に連設されてプラグＰを略包囲する上壁３、下壁４、左側壁５、右側壁６を有する。
【０００９】
上壁３・下壁４の長さ寸法Ｌ1 よりも左側壁５・右側壁６の長さ寸法Ｌ2 が短く設定され、切欠き部８が形成される。上壁３・下壁４の長さ寸法Ｌ1 よりも左側壁５・右側壁６の長さ寸法Ｌ2 が長い場合や、上壁３・下壁４の長さ寸法Ｌ1 と左側壁５・右側壁６の長さ寸法Ｌ2 とが等しい場合は、プラグＰ（図１参照）に装着しにくくなる。
【００１０】
左側壁５・右側壁６の厚さ寸法Ｔ2 は、上壁３・下壁４の厚さ寸法Ｔ3 よりも小さく設定される。厚さ寸法Ｔ2 が、厚さ寸法Ｔ3 よりも大きい場合、又は、厚さ寸法Ｔ2 と、厚さ寸法Ｔ3 が等しい場合は、異なる左右幅寸法のプラグＰ（図１参照）に使用することができない。
【００１１】
前壁２の周囲に、前方突出状、かつ、前方拡開状に、包囲弾性膜部９が形成される。
上壁３及び下壁４に、プラグＰ（図１参照）とコンセントＣとの抜き差し時に指が滑るのを防止する滑り防止用凹弯曲面10を有する肉厚形成用突部11を備える。
【００１２】
図６・図８は、プラグカバーをプラグＰ（図１参照）に装着する前の状態を示し、図７・図９はプラグカバーをプラグＰに装着した状態を示す。孔部１は、プラグ端子Ｑ（図１参照）が差込まれたときに、前方突出状に弾性変形してプラグ端子Ｑに密接するように、孔寸法を減少させる方向へ延伸した肉薄突片部７を有する。言い換えると、図９に示す如く、肉薄突片部７が一文字型から弯曲状に弾性変形し、矢印Ｆ，Ｆのようにプラグ端子Ｑに対して密接（圧接）し、ゴミや水分の侵入を防止する。
【００１３】
肉薄突片部７の厚さ寸法Ｔ1 は、 0.1mm≦Ｔ1 ≦ 0.8mmに設定される。厚さ寸法Ｔ1 が、Ｔ1 ＜ 0.1mmのときは、強度的に劣り、肉薄突片部７が破損する虞れがある。また、厚さ寸法Ｔ1 が、 0.8mm＜Ｔ1 のときは、変形しにくく、プラグＰ（図１参照）を差込みにくくなる虞れがある。
【００１４】
なお、本発明は、設計変更可能であって、例えば、包囲弾性膜部９を省略するも良い。
【００１５】
【発明の効果】
本発明は、上述の如く構成されるので、次に記載する効果を奏する。
【００１６】
（請求項１，２によれば）トラッキングを防止することができる。
【００１７】
（請求項１によれば）プラグ端子Ｑとの密接性が良い。周囲の塵や埃、水分の侵入を防止して、より確実にトラッキングを防止することができる。
また、適度な強度があり、確実にプラグ端子Ｑと密接することができる。そして、周囲の塵や埃、水分の侵入を防止して、より確実にトラッキングを防止することができる。
また、容易にプラグＰへ装着することができる。
また、左側壁５と右側壁６は弾性変形して伸び易く、複数種類の形状の（各種寸法の）プラグＰ…に対して使用することができる。
【００１８】
また、指にて挾持したときに力を加え易く、かつ、長手方向に滑らず、プラグＰとコンセントＣとの抜き差しを確実に行うことができる。
【００１９】
（請求項２によれば）塵や埃が前壁２の前面側に侵入せず、より確実にトラッキングを防止することができる。
【図面の簡単な説明】
【図１】  本発明の使用状態を示す斜視図である。
【図２】  正面図である。
【図３】  側面図である。
【図４】  背面図である。
【図５】  平面図である。
【図６】  説明図である。
【図７】  説明図である。
【図８】  要部拡大説明図である。
【図９】  要部拡大説明図である。
【図10】  従来例の使用状態を示す斜視図である。
【符号の説明】
１  孔部
２  前壁
３  上壁
４  下壁
５  左側壁
６  右側壁
７  肉薄突片部
８  切欠き部
９  包囲弾性膜部
10  滑り防止用凹弯曲面
11  肉厚形成用突部
Ｃ  コンセント
Ｌ1   長さ寸法
Ｌ2   長さ寸法
Ｐ  プラグ
Ｑ  プラグ端子
Ｔ1   厚さ寸法
Ｔ2   厚さ寸法
Ｔ3   厚さ寸法
【図１】
0004018415.tif 000002
【図２】
0004018415.tif 000003
【図３】
0004018415.tif 000004
【図４】
0004018415.tif 000005
【図５】
0004018415.tif 000006
【図６】
0004018415.tif 000007
【図７】
0004018415.tif 000008
【図８】
0004018415.tif 000009
【図９】
0004018415.tif 000010
【図１０】
0004018415.tif 000011